(57)【要約】【課題】既存の装置の変更を出来るだけ少なくして、短手方向の長さが異なる複数種類の紙幣を取り扱う。【解決手段】ＡＴＭにおいて、入金対象の紙幣を一括してセットする入金口１から紙幣を１枚ずつ分離して搬送路に送り出し、鑑別部３で紙幣の金種、真偽を判別する。鑑別部３での判別結果に従い、その短手方向の寸法が同じ紙幣ごとに、入金対象の紙幣を少なくとも第１種類の紙幣と第２種類の紙幣に分け、第１種類の紙幣について計数動作を行い、その後、第２種類の紙幣について計数動作を行い、対象となる全て紙幣の計数動作を終了させて入金取引を成立させるように制御する。【選択図】図３
2008090616.tif 000002
【特許請求の範囲】
【請求項１】
短手方向の寸法が異なる複数種類の紙幣を取り扱って入金取引を行う現金自動取引装置において、
入金対象の紙幣を一括してセットし、１枚ずつ分離して繰り出す入金口と、該入金口から繰り出された紙幣の金種、真偽を判別する鑑別部と、該鑑別部による判別結果に従い、その短手方向の寸法が同じ紙幣ごとに、入金対象の紙幣を少なくとも第１種類の紙幣と第２種類の紙幣に分け、該第１種類の紙幣について計数動作を行い、その後該第２種類の紙幣について計数動作を行い、対象となる全て紙幣の計数動作を終了させて入金取引を成立させるように制御する制御部と、を有することを特徴とする現金自動取引装置。
【請求項２】
該入金口に入れられた紙幣のうち該鑑別部で金種が判明した紙幣を一時的に積層して収納し、収納された該紙幣を一枚ずつ分離して繰り出す一時保管庫と、入金される紙幣を金種別に収納する金種ボックスとを有し、
前記制御部は、短手方向の寸法の異なる複数種類の紙幣の取扱いにおいて、該入金口への投入受付を短手寸法の種類ごとに分け、全種類の紙幣を受け入れてその計数動作をした後、該一時保管庫に全種類の紙幣を集積し、全種類の紙幣の合計金額に対する入金取引を成立させた後に、該一時保管庫に収納された紙幣を、対応する該金種ボックスに移動させるように制御することを特徴とする請求項１の現金自動取引装置。
【請求項３】
該入金口に受け入れられた紙幣のうち該鑑別部で金種が判明した紙幣を一時的に積層して収納し、収納された該紙幣を一枚ずつ分離して繰り出す一時保管庫と、入金される紙幣を金種別に収納する金種ボックスとを有し、
前記制御部は、短手方向の寸法の異なる複数種類の紙幣の該入金口への投入受付を短手寸法の種類ごとに分け、第１種類又は第２種類の紙幣のうち予め定められた一方の紙幣（所定紙幣）を受け入れて該所定紙幣の計数動作をした後、該一時保管庫に該所定紙幣を収納し、該所定紙幣の合計金額に対する入金取引を成立させた後に、該一時保管庫に収納された紙幣を金種ごとに該金種ボックスに移動させるように制御することを特徴とする請求項１の現金自動取引装置。
【請求項４】
短手方向の寸法の異なる複数種類の紙幣の入金取引において、該入金口に投入された紙幣を、短手寸法の紙幣ごとに分け所定の種類の紙幣を受付ける動作では、該入金口に受付けた紙幣を一枚ずつに分離繰出して、該鑑別部で金種を判別し、判別結果に応じて収納先となる金種ボックスを切り替えて搬送し、所定の種類の紙幣と判定された紙幣は前記一時保管庫に収納し、それ以外の紙幣は、入金リジェクト収納部に集積し、利用者に返却するとともに、所定の種類と異なる紙幣と判定された紙幣がある場合は、利用者に対して紙幣の種類を分けて投入するよう案内することを特徴とする請求項２又は３の現金自動取引装置。
【請求項５】
短手方向の寸法が異なる複数種類の紙幣を短手方向に搬送して、紙幣の入金取引を行う現金自動取引装置において、
入金対象の紙幣を一括してセットし、１枚ずつ分離して繰り出す入金口と、該入金口から繰り出された紙幣の金種、真偽を判別する鑑別部と、該入金口に入れられた紙幣のうち該鑑別部で金種が判明した受付け紙幣を一時的に集積して収納し、収納された該紙幣を一枚ずつ分離して繰り出す一時保管庫と、入金対象の紙幣を短手寸法の種類ごとに該一時保管庫へ区分して集積し、計数動作後、一時保管庫に短手寸法の種類ごとに区分して集積した複数種類の紙幣の合計金額に対する入金取引を成立した後に、該一時保管庫に短手寸法の種類ごとに区分して集積したの複数種類の紙幣を、金種ごとに集積する金種ボックスと、を有することを特徴とする現金自動取引装置。
【請求項６】
短手方向の寸法が異なる複数種類の紙幣を取り扱う紙幣の処理方法において、
入金口にセットされた入金対象の紙幣の金種、真偽を鑑別部で判定するステップと、
該判定の結果に従い、その短手方向の寸法が同じ紙幣ごとに、入金対象の紙幣を少なくとも第１種類の紙幣と第２種類の紙幣に分けるステップと、
該第１種類の紙幣について計数動作を行い、所定の場所に一時保管するステップと、
その後該第２種類の紙幣について計数動作を行い、所定の場所に一時保管するステップと、
対象となる全て紙幣の計数動作が終了すると、該所定の場所に一時保管していた該第1及び第２の紙幣を金種別に金種ボックスに収納するステップと、
を有することを特徴とする紙幣処理方法。
【請求項７】
該第1及び第２の紙幣が一時保管される前記所定の場所は、同じ一時保管庫であり、該第２の紙幣は該一時保管庫内に保管された該第1種類の紙幣の上に保管されることを特徴とする請求項６の紙幣処理方法。
【請求項８】
該第２の紙幣を入出金口に放出し、利用者によって該第２の紙幣を該入出金口より再投入させ、再投入された紙幣を該鑑別部で再度鑑別し、その鑑別結果に基づいて該第２の紙幣の計数動作を行うことを特徴とする請求項６又は７の紙幣処理方法。
【請求項９】
鑑別部でリジェクト券と判定された紙幣をリジェクトボックスに搬送して収納することを特徴とする請求項６乃至８のいずれかの紙幣処理方法。
【発明の詳細な説明】
【技術分野】
【０００１】
本発明は、銀行業務等において用いられる現金自動取引装置(以下、ＡＴＭという)に係り、特に紙幣の寸法が異なる複数種の紙幣を取り扱う入金紙幣の処理に関する。
【背景技術】
【０００２】
ＡＴＭでは、利用者による入金や出金の取引要求に応じて、紙幣を短手方向に１枚ずつ搬送して金種を判別し、金種別に所定の収納部に紙幣を集積して入金処理を行い、また金種別の収納部から指定された金種の紙幣を繰り出して出金処理を行っている。日本の紙幣は、千円札、２千円札、５千円札、万円札のいずれも、その短手方向の寸法が７６ｍｍの同一寸法であり、長手方向の寸法が１５０ｍｍ〜１６０ｍｍの範囲で金種毎に異なっている。紙幣の各収納部は、紙幣を良好に整列して維持するために、紙幣の短手寸法が７６ｍｍであることから収納部の空間の幅にわずかな隙間を持たせ、例えば７７〜８０ｍｍ程度に設定している。
【０００３】
従来、ＡＴＭにおける紙幣の取扱いに関しては、例えば、特開平６−１５０１１０号公報（特許文献１）に開示されたものが知られている。この技術は、紙幣を収納部に収納する時に紙幣の前後表裏を取り揃えて収納しておき、出金時に利用者が受け取る紙幣の上下表裏を全て取り揃えて出金するものである。
このような従来の紙幣取扱装置では、各収納部の寸法や、分離機構、集積機構は、取扱う紙幣の短手寸法に最適なように構成されており、短手寸法が異なる紙幣を取扱うことについては考慮されていない。たとえば、短手寸法が８０ｍｍ以上の紙幣の場合、収納部の壁面に紙幣が突っ張り、良好な集積ができない。また、７０ｍｍ以下の紙幣は収納部内で整列性が乱れる。そのため、収納部から紙幣を１枚ずつ繰り出す際に、紙幣が正規の姿勢で繰り出されず、重なったり、傾いたりして、金種を正確に判別できずにリジェクトされる可能性が増す。また、収納部に集積する際に、紙幣同士が衝突してジャムが発生する恐れがある。
【０００４】
短手寸法が金種によって異なる紙幣として、ユーロ紙幣や中国紙幣等が知られている。このようなサイズの異なる紙幣を取り扱う入出金装置において紙幣ジャムを低減させることについては、例えば、特開２０００−１７２９０３号公報（特許文献２）に開示された技術が知られている。また、特開２００２−１９７５１６号公報（特許文献３）には、ＡＴＭが取り扱う紙幣範囲と紙幣入出金機構が取り扱える紙幣範囲の設定を変更するようにして海外など複数の地域の紙幣を取扱うことができるＡＴＭが開示されている。
【０００５】
【特許文献１】特開平６−１５０１１０号公報
【特許文献２】特開２０００−１７２９０３号公報
【特許文献３】特開２００２−１９７５１６号公報
【発明の開示】
【発明が解決しようとする課題】
【０００６】
現在、日本国内に普及しているＡＴＭは、紙幣の短手寸法が金種に拘わらず同一（７６ｍｍ）の紙幣を取扱っている。また、現行の韓国紙幣の千ウォン札、５千ウォン札、万ウォン札も、日本紙幣と同様に、紙幣の短手寸法が金種に係わらず同一の７６ｍｍであることから、同種のＡＴＭが普及している。
【０００７】
しかし、韓国紙幣は、２００６年以降に流通する紙幣の仕様が変更された。図４に示すように、新紙幣の短手寸法は、現行紙幣の７６ｍｍから小さい寸法６８ｍｍに変更される。このように、短手寸法が小さく変更された紙幣を、既存の紙幣処理機構を実装したＡＴＭで取扱おうとすると、紙幣ジャムやリジェクトの問題が生じる。
【０００８】
本発明の目的は、既存の装置の変更を出来るだけ少なくして、短手方向の長さが異なる複数種類の紙幣を取り扱うことができる現金自動取引装置を提供することにある。
【課題を解決するための手段】
【０００９】
本発明は、好ましくは、短手方向の寸法が異なる複数種類の紙幣を取り扱って入金取引を行う現金自動取引装置において、入金対象の紙幣を一括してセットし、１枚ずつ分離して繰り出す入金口と、入金口から繰り出された紙幣の金種、真偽を判別する鑑別部と、鑑別部による判別結果に従い、その短手方向の寸法が同じ紙幣ごとに、入金対象の紙幣を少なくとも第１種類の紙幣と第２種類の紙幣に分け、第１種類の紙幣について計数動作を行い、その後第２種類の紙幣について計数動作を行い、対象となる全て紙幣の計数動作を終了させて入金取引を成立させるように制御する制御部と、を有する現金自動取引装置として構成される。
【００１０】
好ましい例では、この現金自動取引装置は、入金口に入れられた紙幣のうち鑑別部で金種が判明した紙幣を一時的に積層して収納し、収納された紙幣を一枚ずつ分離して繰り出す一時保管庫と、入金される紙幣を金種別に収納する金種ボックスとを有し、前記制御部は、短手方向の寸法の異なる複数種類の紙幣の取扱いにおいて、入金口への投入受付を短手寸法の種類ごとに分け、全種類の紙幣を受け入れてその計数動作をした後、一時保管庫に全種類の紙幣を集積し、全種類の紙幣の合計金額に対する入金取引を成立させた後に、一時保管庫に収納された紙幣を、対応する金種ボックスに移動させるように制御する。
【００１１】
また、好ましくは、現金自動取引装置は、入金口に受け入れられた紙幣のうち鑑別部で金種が判明した紙幣を一時的に積層して収納し、収納された紙幣を一枚ずつ分離して繰り出す一時保管庫と、入金される紙幣を金種別に収納する金種ボックスとを有し、前記制御部は、短手方向の寸法の異なる複数種類の紙幣の入金口への投入受付を短手寸法の種類ごとに分け、第１種類又は第２種類の紙幣のうち予め定められた一方の紙幣（所定紙幣）を受け入れて所定紙幣の計数動作をした後、一時保管庫に所定紙幣を収納し、所定紙幣の合計金額に対する入金取引を成立させた後に、一時保管庫に収納された紙幣を金種ごとに金種ボックスに移動させるように制御する。
【００１２】
また、好ましくは、現金自動取引装置は、短手方向の寸法の異なる複数種類の紙幣の入金取引において、入金口に投入された紙幣を、短手寸法の紙幣ごとに分け所定の種類の紙幣を受付ける動作では、入金口に受付けた紙幣を一枚ずつに分離繰出して、鑑別部で金種を判別し、判別結果に応じて収納先となる金種ボックスを切り替えて搬送し、所定の種類の紙幣と判定された紙幣は前記一時保管庫に収納し、それ以外の紙幣は、入金リジェクト収納部に集積し、利用者に返却するとともに、所定の種類と異なる紙幣と判定された紙幣がある場合は、利用者に対して紙幣の種類を分けて投入するよう案内する。
【００１３】
また、好ましくは、短手方向の寸法が異なる複数種類の紙幣を短手方向に搬送して、紙幣の入金取引を行う現金自動取引装置において、入金対象の紙幣を一括してセットし、１枚ずつ分離して繰り出す入金口と、入金口から繰り出された紙幣の金種、真偽を判別する鑑別部と、入金口に入れられた紙幣のうち鑑別部で金種が判明した受付け紙幣を一時的に集積して収納し、収納された紙幣を一枚ずつ分離して繰り出す一時保管庫と、入金対象の紙幣を短手寸法の種類ごとに一時保管庫へ区分して集積し、計数動作後、一時保管庫に短手寸法の種類ごとに区分して集積した複数種類の紙幣の合計金額に対する入金取引を成立した後に、一時保管庫に短手寸法の種類ごとに区分して集積したの複数種類の紙幣を、金種ごとに集積する金種ボックスと、を有する現金自動取引装置として構成される。
【００１４】
また、本発明は紙幣処理方法としても把握される。すなわち、好ましくは、短手方向の寸法が異なる複数種類の紙幣を取り扱う紙幣の処理方法において、入金口にセットされた入金対象の紙幣の金種、真偽を鑑別部で判定するステップと、判定の結果に従い、その短手方向の寸法が同じ紙幣ごとに、入金対象の紙幣を少なくとも第１種類の紙幣と第２種類の紙幣に分けるステップと、第１種類の紙幣について計数動作を行い、所定の場所に一時保管するステップと、その後第２種類の紙幣について計数動作を行い、所定の場所に一時保管するステップと、対象となる全て紙幣の計数動作が終了すると、所定の場所に一時保管していた第1及び第２の紙幣を金種別に金種ボックスに収納するステップと、を有する紙幣処理方法として構成される。
【００１５】
好ましい例では、第1及び第２の紙幣が一時保管される前記所定の場所は、同じ一時保管庫であり、第２の紙幣は一時保管庫内に保管された第1種類の紙幣の上に保管される。
また、好ましくは、第２の紙幣を入出金口に放出し、利用者によって第２の紙幣を入出金口より再投入させ、再投入された紙幣を鑑別部で再度鑑別し、その鑑別結果に基づいて第２の紙幣の計数動作を行う。
また、一例では、鑑別部でリジェクト券と判定された紙幣をリジェクトボックスに搬送して収納する。
【発明の効果】
【００１６】
本発明によれば、短手方向の長さが異なる複数種類の紙幣を取り扱うことができる。また、紙幣の入金処理時において、紙幣の鑑別の結果による正当な紙幣を一次保管部から金種別収納部に収納する場合、短手方向の同じ紙幣群を搬送して収納するようにしたので、関係する機構部での紙幣ジャムやリジェクトの発生を低減させることができる。
【発明を実施するための最良の形態】
【００１７】
以下、図面を参照して本発明の実施例を詳細に説明する。
図１は、ＡＴＭの外観を示す斜視図である。
ＡＴＭ１０１は、顧客の取引カードを受け入れて処理したり、取引明細票の発行を行うカード／明細票取扱機構１０２と、通帳を処理する通帳取扱機構１０３と、硬貨を処理する硬貨取扱機構１０４と、入金及び出金する紙幣を処理する紙幣取扱機構１００と、取引に必要な情報を表示し、顧客の入力操作する顧客操作部１０５を備えて構成される。
【００１８】
図２は、ＡＴＭの制御ブロック図である。
上記したカード／明細票取扱機構１０２、通帳取扱機構１０３、硬貨取扱機構１０４、紙幣取扱機構１００および利用者操作部１０５、係員操作部５２は、本体制御部５０と接続され、本体制御部５０の制御の下に必要な制御動作を行う。本体制御部５０は、またホストコンピュータ５３と接続され、必要なデータのやりとりを行う。
【００１９】
顧客操作部１０５はタッチパネルを有し、取引のためのガイダンスをタッチパネル（表示部）に表示し、かつ入力部として顧客の入力操作を可能とする。たとえば、預入、引出し、振込み等の取引種別の入力、暗証暗号や金額の入力等を表示して指示し、またそれらの入力を受け付けて本体制御部５０に伝える。係員操作部５２は銀行の係員がＡＴＭを運用し保守を行うための操作部であり、表示部及び入力部を有する。例えば、係員が紙幣補充のための紙幣カセット１２をＡＴＭ内にセットしたとき、入力部より紙幣枚数を入力する。また、表示部はＡＴＭの状態や運用モード、障害個所等を表示する。
【００２０】
本体制御部５０にはまた紙幣取扱機構制御部５４が接続され、本体制御部５０は紙幣取扱機構制御部５４に対して紙幣処理のための制御動作を指示する。指示する処理動作としては、入金計数、入金収納、出金、装填、回収等がある。
入金計数は、取引の種別が預入であって、利用者が入出金口１に投入した紙幣を計数する動作である。入金収納は、入金計数の結果、利用者により確認の入力があったときに金種別収納部１０に紙幣を収納する動作である。出金は、取引の種別が払出であって、利用者から指定された金額、金種の紙幣を該当する金種別収納部１０から分離して、入出金口１に出金する動作である。
装填は、係員の指示あるいは金種別収納部１０の紙幣の残量が少なくなったとき、装填用金庫１２から金種別収納庫１０へ紙幣を装填、補充する動作である。回収は、係員の指示あるいは金種別収納庫１０の紙幣が満杯になったとき、金種別収納庫１０から装填用金庫１２へ紙幣を回収する動作である。
【００２１】
本体制御部５０は、顧客操作部１０５からの取引の種別として入金が選択入力されたことに応じて、入金計数の処理動作を指示し、入金計数の結果、利用者から確認の入力があったときに、入金収納の処理動作を指示する。また、係員操作部５２からの装填指示入力に応じて、装填の処理動作を指示する。また、係員操作部５２からの回収指示入力に応じて、回収の処理動作を指示する。
【００２２】
図３は、紙幣取扱機構１００の構成を示す側面図である。
この機構は、短手寸法が７６ｍｍの日本円紙幣や、韓国紙幣を取扱うＡＴＭに使用されるが、本実施例では、図４に示すような新旧の韓国紙幣を取扱う。即ち、２００５年１２月以前に発行された３種類の旧札紙幣と、２００６年以降に発行される、旧紙幣と寸法の異なる３金種の新札紙幣の両方の入金及び出金を行なう。
【００２３】
入出金口１は、利用者が入金取引において入金する紙幣を投入したり、出金取引において紙幣を利用者に放出する部分であり、入出金口１内の紙幣を１枚ずつ搬送路２へ送り出すための分離機構、入金取引時および出金取引時に利用者に放出する紙幣を集積する集積機構を備えている。鑑別部３は、搬送されてきた紙幣の真偽、正損、金種、表裏などを判別する。
【００２４】
一時保管庫５は、装填用金庫１２の上部に備えられ、それぞれ１枚ずつ搬送される紙幣を収納部に集積する集積機構、及び収納している紙幣を１枚ずつ分離する分離機構を備えている。この集積機構、分離機構は、入金紙幣を取引が成立するまでの間、一時保管庫５に一時的に集積し、集積した紙幣を分離する。一時保管庫５の収納部はセパレータ１３によって装填用金庫１２との間が仕切られている。セパレータ１３を退避させることで、一時保管庫５から装填用金庫１２内に紙幣を装填する。
【００２５】
金種別収納部８、９、１０は、例えば万ウォン券、千ウォン券というように金種別に出金用紙幣を貯留する場所であり、入金された紙幣のうち、出金用として適する紙幣を収納する。金種別収納部８〜１０は、それぞれ１枚ずつ搬送される紙幣を収納部に集積する集積機構、収納している紙幣を１枚ずつ分離する分離機構を備えている。この装置では、３つの金種別収納部８〜１０を有しており、このうち３つとも万ウォン券として設定することができる。あるいは、１つずつ万ウォン券、５千ウォン券、千ウォン券として設定することもできるし、又は、２つを万ウォン券、１つを千ウォン券して設定することもできる。
【００２６】
装填用金庫１２は、装置に対して着脱可能に構成されており、本装置に紙幣を供給する場合、及び装置内の紙幣を回収する場合に使用される。装填用金庫１２の上部には、一時保管庫５を備え、装填用金庫１２への集積や、集積した紙幣を分離するための機構を兼用させている。装填用金庫１２の後面には装填リジェクトボックス１６が配置され、本装置に紙幣を供給するために装填用金庫１２に収納された紙幣を金種別収納部８〜１０へ鑑別部３を通して搬送する際、鑑別部３による判定の結果、出金に適さないと判定された紙幣（装填リジェクト券）を集積する。
【００２７】
リジェクトボックス１４は、入金された紙幣のうち、鑑別部３において出金に適さないと判定された紙幣や、出金のために金種別収納部８〜１０より入出金口１に紙幣を搬送する際、鑑別部３において出金に適さないと判定された紙幣や、本装置から紙幣を回収するために金種別収納部１３より装填用金庫１２に紙幣を搬送する際、鑑別部３において正券でないと判定された紙幣（リジェクト券）を集積する。
【００２８】
次に、この装置の制御動作について説明する。
入金取引において、利用者が入出金口１に投入した紙幣は、分離機構により１枚ずつ分離されて搬送路２に送り出される。その紙幣は搬送路２上の鑑別部３でその真偽、正損、金種、表裏などが判定される。その結果、正券と判定された紙幣は、搬送路４を経由して一時保管庫５に集積される。一方、鑑別部３でリジェクト券と判定された紙幣は、搬送路７を通り、入出金口１内の押板１８によって仕切られた入金リジェクト収納部１７に集積される。その紙幣は入出金口１の上部のシャッタ１１が開いて、利用者に返却される。入金計数取引については、後述する。
【００２９】
以上の動作を経て入金計数取引が終了すると、顧客操作部１０５に計数された金額を表示して顧客に知らせる。顧客による確認の入力があり、取引が成立すると、一時保管庫５に集積された紙幣は分離機構により１枚ずつ分離して、搬送路６に送り出される。紙幣は搬送路６を通って鑑別部３で鑑別される。鑑別の結果、正券と判定された紙幣は、搬送路４，７，２を経由して、金種別収納部８〜１０にそれぞれ集積される。一方、鑑別部３においてリジェクト券と判定された紙幣もしくは、金種別収納部８〜１０に収納可能でない金種の紙幣については、リジェクトボックス１４に集積される。
【００３０】
出金取引においては、利用者により指定された金額分の紙幣が金種別収納部１０から分離機構により１枚ずつ分離して、搬送路に送り出される。紙幣は鑑別部３で鑑別され、正券と判定された紙幣は、搬送路４，７を経由して入出金口１に集積される。一方、鑑別部３でリジェクト券と判定された紙幣はリジェクトボックス１４に集積される。その後、入出金口１のシャッタ１１が開いて利用者に紙幣が放出される。
【００３１】
次に、紙幣の装填補充動作、及び回収動作について説明する。
係員の操作により、出金用の紙幣を収納した装填用金庫１２を本装置にセットすると、装填用金庫１２内の紙幣は分離機構により１枚ずつ分離し、搬送路６に送り出される。搬送された紙幣は鑑別部３で判定され、その結果正券と判定された紙幣は、搬送路４，７，２を経由して金種別収納部８〜１０に金種別に集積される。一方、装填用金庫１２より分離、搬送された紙幣のうち、リジェクト券と判定された紙幣は、装填リジェクトボックス１６に集積される。
【００３２】
係員の操作により本装置内の紙幣を装填用金庫１２に収納する回収する場合、金種別収納部８〜１０の紙幣は金種別収納部８〜１０から分離機構により１枚ずつ分離し、搬送路に送り出される。紙幣は鑑別部３で判定され、その結果、正券と判定された紙幣は、装填用金庫１２に集積される。一方、リジェクト券と判定された紙幣は、リジェクトボックス１４に集積される。
【００３３】
このような動作を行なうＡＴＭにおいて、入出金口への投入受付を、短手寸法の種類ごとに複数の種類、例えば２種類（第１種類と第２種類）に分け、まず第１種類の紙幣（短手寸法が６８ｍｍの紙幣）のみを受付けてその計数動作を行い、それが終わった後に、第２種類の紙幣（短手寸法が７６ｍｍの紙幣）を受付けて、同様に計数動作する。全ての紙幣を受付けてその計数動作が終了した後、全ての種類の紙幣の合計金額に対する入金取引を成立させる動作について説明する。
【００３４】
入金取引の計数動作においては、入出金口１に投入された短手寸法の異なる紙幣は分離機構により１枚ずつ分離され、搬送路２に送り出される。そして紙幣は搬送路２上の鑑別部３で紙幣の真偽、正損、金種、表裏などが判定される。この判定によって、正券と判断された紙幣はその短手寸法に応じて、第１種類の紙幣と第２種類の紙幣の２種類に分類される。
【００３５】
この判定の結果、第１種類の紙幣は搬送路４を経由し、一時保管庫５に集積される。また、リジェクト券と判定された紙幣および第２種類の紙幣は、搬送路７を通り、入出金口１内の押板１８によって仕切られた入金リジェクト収納部１７に収納される。なお、一時保管庫５に集積された第１種類の紙幣には、万ウォン券、５千ウォン券、千ウォン券等の複数の金種が含まれる可能性がある。
【００３６】
入金リジェクト収納部１７に収納したリジェクト券と判定された紙幣および第２種類の紙幣は、一旦、入出金口１のシャッタ１１を開いて、利用者に放出される。本体制御部５０はリジェクト券を再投入させるためのガイダンスを利用者操作部１０５に表示する。これに従って、利用者はリジェクト券として放出された紙幣を入出金口１に再投入する。入出金口１に再投入された紙幣（即ちリジェクト券と判定された紙幣および第２種類の紙幣）は、分離機構により１枚ずつ分離されて、搬送路２に送り出され、鑑別部３で紙幣の真偽、正損、金種、表裏などが再度判定される。
【００３７】
この再判定の結果、正券で第２種類の紙幣と判定された紙幣は、搬送路４を経由し、一時保管庫５内の先に集積された第１種類の紙幣の上に集積される。一方、鑑別部３における再判定でリジェクト券と判定された紙幣は、入出金口１に送られ、シャッタ１１を開いて利用者に返却される。
このようにして短手寸法の種類ごとに分けられた紙幣の入金計数取引が終了すると、顧客操作部１０５にその合計金額を表示して利用者に知らせる。表示金額を見て利用者が確認の入力をすると、入金取引が成立する。
【００３８】
入金取引の成立を契機に入金収納動作に移る。即ち、一時保管庫５に区分して集積された第１種類の紙幣と第２種類の紙幣は、分離機構により１枚ずつ分離して搬送路６に送り出される。搬送された紙幣は、鑑別部３で紙幣の判別が行われ、その結果、正券と判定された第１種類の紙幣は、搬送路４，７，２を経由して、金種別収納部８〜１０にそれぞれ金種別に収納される。また、鑑別部３で正券と判定された第２種類の紙幣は、同様に搬送路４，７，２を経由して、金種別収納部８〜１０にそれぞれ金種別に収納される。一方、鑑別部３でリジェクト券と判定された紙幣は、搬送されてリジェクトボックス１４に集積される。
【００３９】
このように、短手寸法の種類ごとに２種類に分類された紙幣を、一時保管庫５に区分して一旦集積することで、紙幣の幅寸法を整え、整列性が乱れるのを防ぐことができる。このため、一時保管庫５から紙幣を１枚ずつ繰り出す際に、紙幣が異常な姿勢で繰り出されて重なったり傾いたりして、金種を判別できずにリジェクトされることが防止される。また、一時保管庫５から搬送して金種別収納部に収納する際に紙幣どおしが衝突してジャムが発生することが低減できる。
【００４０】
上記した入金計数動作では、利用者が入出金部口１から投入した短手方向の寸法の異なる紙幣を分離機構で１枚ずつ分離して、鑑別し、正券でかつ短手方向の種類ごとに分けられた第１種類の紙幣と判定された紙幣のみを一時保留部５に集積し、鑑別部３でリジェクト券と判定された紙幣及び短手方向の寸法の種類ごとに分けられた第２種類の紙幣は、入金リジェクト収納部１７に集積し、利用者に紙幣を放出し、利用者によって入出金口１に再投入を促している。
【００４１】
このように短手寸法の種類ごとに分けられた第２種類の紙幣は、入金リジェクト収納部１７に集積し、利用者に紙幣を放出し、利用者によって入出金口１への再投入を行わず、現金自動取引装置内の紙幣取扱機構の入金リジェクト収納部１７に集積したリジェクト券と判定された紙幣および短手寸法の種類ごとに分けられた第２種類の紙幣を装置内で再計数動作をした後、第２種類の紙幣のみを受付ける場合の実施例について、以下、説明する。
【００４２】
入金取引の入金計数動作において、入出金口１に投入された紙幣は、分離機構により１枚ずつ分離され、搬送路２に送り出される。搬送路２上の紙幣は、鑑別部３で紙幣の真偽、正損、金種、表裏などが鑑別される。その結果、正券かつ短手寸法の種類ごとに分けられた第１種類の紙幣と判定された紙幣のみが搬送路４を経由して一時保留部５に集積され。
【００４３】
一方、鑑別部３でリジェクト券と判定された紙幣および短手寸法の種類ごとに分けられた第２種類の紙幣は、搬送路７を通り、入出金口１内押板１８によって仕切られた入金リジェクト収納部１７に集積する。入金リジェクト収納部１７に集積したこれらの第２種類の紙幣は、入出金口１上部のシャッタ１１を開かずに、分離機構により１枚ずつ再度分離されて、搬送路２に送り出される。その紙幣は搬送路２上の鑑別部３でその真偽、正損、金種、表裏などが再度判定される。その結果、正券かつ短手寸法の種類ごとに分けられた第２種類の紙幣と判定された紙幣のみが搬送路４を経由し、一時保留部５内に、短手寸法の種類ごとに分けられた第１種類の紙幣上に区分して集積される。鑑別部３において再度リジェクト券と判定された紙幣は入出金口１へ送られる。そして上部のシャッタ１１を開いて、利用者に紙幣を放出される。短手寸法の種類ごとに分けられた紙幣の入金計数取引が終了し、計数された金額を顧客操作部１０５に表示して利用者に知らせ、利用者の確認入力があると、入金取引を成立として取扱う。
【００４４】
利用者の確認入力があり入金取引の入金計数動作が成立すると、紙幣取扱機構制御部５４は紙幣の収納動作制御を行う。即ち、一時保留部５に、短手寸法の種類ごとに区分集積された第１種類の紙幣と第２種類の紙幣を分離機構により１枚ずつ分離し、搬送路６に送り出す。紙幣は搬送路６を通り、鑑別部３で再度、紙幣の判定を行う。その結果、正券と判定された第１種類の紙幣は、搬送路４，７，２を経由し、金種別収納部８〜１０に各々の金種別に集積される。また正券と判定された第２種類の紙幣は、同様に搬送路４，７，２を経由し、金種別収納部８〜１０に各々の紙幣を金種別に集積される。一方、鑑別部３でリジェクト券と判定された紙幣、又は３つの金種別収納部８〜１０に収納可能でない金種の紙幣については、リジェクトボックス１４に集積される。
【００４５】
このように、一時保留部５への集積を短手寸法の種類ごとに分けられた紙幣ごとに集積することで紙幣の整列性が乱れるのを防ぐことができる。また、一時保留部５から１枚ずつ繰り出す際に、紙幣が正規の姿勢で繰り出されず、重なったり傾いたりして、金種を判別できずリジェクトされたり、或いは、金種別収納部に集積する際に紙幣同士が衝突しジャムが発生することを低減することができる。
【００４６】
更に、他の実施例について説明する。
この例は、現金自動取引装置の入出金口１への紙幣の投入受付を、短手寸法の種類ごとに分け、第１種類の紙幣のみを受付け、第２種類の特定金種の紙幣は受付不可とし、装置内で計数動作をし、第１種類の紙幣と第２種類の特定金種以外の紙幣の合計金額に対する入金取引を成立させる例である。ここでは、例として旧５千ウォンのみを入金取引の受付不可とする運用とし、第２種類の特定金種の紙幣を旧５千ウォンとして説明するものである。
【００４７】
入金取引の入金計数動作において、入出金口１に投入された短手寸法の異なる紙幣は分離機構により１枚ずつ分離され、搬送路２に送り出される。紙幣は搬送路２上の鑑別部３でその真偽、正損、金種、表裏などが判定される。その結果、正券かつ短手寸法の種類ごとに分けられた第１種類の紙幣と判定された紙幣のみを搬送路４を経由して一時保留部５に集積する。
【００４８】
一方、鑑別部３でリジェクト券と判定された、および短手寸法の種類ごとに分けられた第２種類の紙幣は、搬送路７を通り、入出金口１内押板１８によって仕切られた入金リジェクト収納部１７に集積される。入金リジェクト収納部１７に集積された第２種類の紙幣は、入出金口１上部のシャッタ１１を開いて、利用者に紙幣を放出される。利用者は、入手した第２種類の紙幣を入出金口１に再投入する。そしてこれら第２種類の紙幣は、再度、分離機構により１枚ずつ分離され、搬送路２に送り出される。紙幣は搬送路２上の鑑別部３でその真偽、正損、金種、表裏などが判定される。その結果、正券かつ短手寸法の種類ごとに分けられた第２種類の特定金種以外の紙幣と判定された紙幣のみを、搬送路４を経由して一時保留部５に送り、短手寸法の種類ごとに分けられた第１種類の紙幣の上に集積する。鑑別部３においてリジェクト券と判定された紙幣および短手寸法の種類ごとに分けられた第２種類の特定金種の紙幣（旧５千ウォン）は、入出金口１上部のシャッタ１１を開いて、利用者に紙幣を放出する。短手寸法の種類ごとに分けられた第１種類の紙幣と第２種類の特定金種以外の紙幣の入金計数取引が終了すると、計数された金額を利用者操作部１０５に表示して利用者に知らせ、利用者の確認入力があると、入金取引を成立することが可能となる。
【００４９】
利用者の確認入力があり、入金取引の入金計数動作が成立すると、入金収納動作により、一時保留部５に集積された短手寸法の種類ごとに分けられた第１種類の紙幣と第２種類の特定金種以外の紙幣を分離機構により１枚ずつ分離し、紙幣搬送路に送り出す。紙幣は搬送路６を通り、鑑別部３において紙幣の鑑別を行い、正券と判定された短手寸法の種類ごとに分けられた第１種類の紙幣と第２種類の特定金種以外の紙幣は、搬送路４，７，２を経由し、金種別収納部８、９、１０に各々の紙幣を金種別に集積する。一方、鑑別部３においてリジェクト券と判定された紙幣もしくは、３ケの金種別収納部８、９、１０に収納可能でない金種の紙幣については、リジェクトボックス１４に集積される。
【００５０】
このように、一時保留部５への集積を短手寸法の種類ごとに分けられた第１種類の紙幣と第２種類の特定の金種以外の紙幣を短手寸法の種類ごとに分けられた紙幣毎に集積することで紙幣の整列性が乱れるのを防ぐことができる。また、一時保留部５から１枚ずつ繰り出す際に、紙幣が正規の姿勢で繰り出されず、重なったり傾いたりして、金種を判別できずリジェクトされたり、あるいは、金種別収納部に集積する際に紙幣同士が衝突しジャムが発生することを低減することができる。また、このような入金取引により、現金自動取引装置の運用上、現金自動取引装置内に短手寸法の種類ごとに分けられた特定種類の金種の紙幣（旧５千ウォン）を取り込みたくない場合の現金自動取引装置の運用を実現することができる。
【図面の簡単な説明】
【００５１】
【図１】一実施例に適用されるＡＴＭの概観を示す斜視図。
【図２】一実施例におけるＡＴＭの制御ブロック図。
【図３】一実施例におけるＡＴＭの紙幣取扱機構１００を示す斜視図。
【図４】韓国紙幣の種類と寸法の関係を示す図。
【符号の説明】
【００５２】
１００：紙幣取扱機構、  １０２：カード／明細票取扱機構、  １０３：通帳取扱機構、  １０４：硬貨取扱機構、  １０５：顧客操作部、  ５４：紙幣取扱機構制御部、  ５０：本体制御部、  １：入出金口、  ５：一時保管庫、  ３４：一時保管庫収納部可動ガイド、  ３：鑑別部、  ２、４、６、７：搬送機構、  ８、９、１０：金種ボックス。
【図１】
2008090616.tif 000003
【図２】
2008090616.tif 000004
【図３】
2008090616.tif 000005
【図４】
2008090616.tif 000006